(57)【要約】【課題】スマートフォンを利用して告知放送を行うシステムであって、緊急告知放送を即時に出力することが可能になり、かつ、グループ放送を行うことが可能になる、告知放送システムを提供すること。【解決手段】センター装置１０と複数のスマートフォン３０とを相互に通信可能に接続して構成された告知放送システム１であって、センター装置１０は、デバイストークンをグループ毎に格納するグループＤＢ１４ｂと、デバイストークンをグループＤＢ１４ｂをから取得して告知放送信号を生成する信号生成部１５ａと、告知放送信号をスマートフォン３０に対して直接的又は間接的にプッシュ配信する通信部１３とを備え、スマートフォン３０は、通信部１３にて送信された告知放送信号を直接的又は間接的に受信する通信部３３と、告知放送信号に基づいてユーザに対して告知放送を出力する出力部３２とを備える。【選択図】図１
2015023443.tif 000002
【特許請求の範囲】
【請求項１】
センター装置と複数の移動体通信端末とを相互に通信可能に接続して構成された告知放送システムであって、
前記センター装置は、
ユーザが保持する前記移動体通信端末を一意に特定するための端末特定情報を、当該ユーザが属するグループ毎に格納するグループ情報格納手段と、
前記移動体通信端末を介して放送したい告知放送を特定するための告知放送情報と、告知放送を送信すべきユーザが属するグループを特定するためのグループ特定情報とを取得し、当該取得したグループ特定情報によって特定されたグループに対応する端末特定情報を前記グループ情報格納手段から取得し、当該取得した告知放送情報によって特定された告知放送を、当該取得した端末特定情報によって特定される移動体通信端末に出力させるための告知放送信号を生成する信号生成手段と、
前記取得した告知放送情報によって特定された告知放送が、前記取得した端末特定情報によって特定される移動体通信端末において出力可能となるように、前記信号生成手段にて生成された告知放送信号を、当該移動体通信端末に対して直接的又は間接的にプッシュ配信するセンター側通信手段とを備え、
前記移動体通信端末は、
前記センター側通信手段にて送信された告知放送信号を直接的又は間接的に受信する端末側通信手段と、
前記端末側通信手段にて受信された告知放送信号に基づいて、当該移動体通信端末を保持するユーザに対して告知放送を出力する出力手段とを備える、
告知放送システム。
【請求項２】
前記グループ情報格納手段は、端末特定情報を、一般告知放送を送信すべきユーザのグループである一般用グループ毎と、緊急告知放送を送信すべきユーザのグループである緊急用グループ毎に格納し、
前記センター装置は、
前記端末特定情報と、前記ユーザの属性を特定するための属性情報とを、相互に関連付けて格納するユーザ情報格納手段と、
グループを推奨すべきユーザの属性情報を取得し、当該取得した属性情報によって特定されたユーザの属性に基づいて、ユーザが所属することが推奨される一般用グループである一般用推奨グループを第１推奨基準に基づいて特定すると共に、ユーザが所属することが推奨される緊急用グループである緊急用推奨グループを前記第１推奨基準とは異なる第２推奨基準に基づいて特定する推奨グループ特定手段とを備え、
前記センター側通信手段は、前記推奨グループ特定手段にて特定された前記一般用推奨グループと前記緊急用推奨グループとを、前記移動体通信端末に対して直接的又は間接的に送信する、
請求項１に記載の告知放送システム。
【請求項３】
前記信号生成手段は、前記移動体通信端末を介して放送したい告知放送が一般告知放送と緊急告知放送のいずれであるのかを特定するための放送種別情報を含む告知放送信号を生成し、
前記移動体通信端末は、前記端末側通信手段にて受信された告知放送信号に含まれる放送種別情報に基づいて、当該移動体通信端末を保持するユーザに対して放送する告知放送が一般告知放送と緊急告知放送のいずれであるのかを判定し、一般告知放送であると判定した場合には、当該一般告知放送を出力するタイミングを所定のタイミング決定基準に基づいて決定し、緊急告知放送であると判定した場合には、当該緊急告知放送を出力するタイミングを即時のタイミングとして決定する出力タイミング決定手段を備え、
前記出力手段は、前記出力タイミング決定手段にて決定されたタイミングにより、ユーザに対して告知放送を出力する、
請求項２に記載の告知放送システム。
【請求項４】
前記センター装置は、一般告知放送の放送日時を特定するための放送日時情報と、一般告知放送を特定するための前記告知放送情報とを、相互に関連付けて格納するセンター側放送情報格納手段を備え、
前記移動体通信端末は、前記放送日時情報と、前記告知放送情報とを、相互に関連付けて格納する端末側放送情報格納手段を備え、
前記端末側通信手段は、前記センター側放送情報格納手段にて格納された前記放送日時情報と前記告知放送情報とを所定タイミングで取得して前記端末側放送情報格納手段に格納し、
前記出力手段は、前記端末側放送情報格納手段に格納された前記放送日時情報に基づいて、一般告知放送の放送日時が到来したか否かを判定する出力タイミング決定手段を備え、
前記出力手段は、前記出力タイミング決定手段にて一般告知放送の放送日時が到来したと判定された場合には、前記端末側放送情報格納手段に格納された前記告知放送情報に基づいて、ユーザに対して一般告知放送を出力する、
請求項２に記載の告知放送システム。
【請求項５】
前記センター装置は、
一般告知放送を特定するための前記告知放送情報を格納するセンター側放送情報格納手段と、
前記センター側放送情報格納手段に格納された前記告知放送情報の内容が更新されたか否かを判定し、更新された場合には、更新されたことを前記移動体通信端末に報知するための更新報知情報を生成する更新報知手段とを備え、
前記センター側通信手段は、前記更新報知手段にて生成された更新報知情報を、前記移動体通信端末に対して直接的又は間接的にプッシュ配信し、
前記端末側通信手段は、前記更新報知情報を受信した場合には、前記センター側放送情報格納手段にて格納された前記告知放送情報を取得し、
前記出力手段は、前記端末側放送情報格納手段に格納された前記告知放送情報に基づいて、ユーザに対して一般告知放送を出力する、
請求項２に記載の告知放送システム。
【発明の詳細な説明】
【技術分野】
【０００１】
本発明は、告知放送を行うための告知放送システムに関する。
【背景技術】
【０００２】
センターから複数の住戸に対して各種の告知放送を行うための告知放送システムが普及している。この告知放送システムは、概略的に、センター側に配置したセンター装置と、各住戸内に設置した告知放送受信機とを、ＣＡＴＶ等の伝送線路を介して相互に接続して構成されている。そして、地域のイベント開催又はＦＭラジオ放送等の一般放送や、火災や地震等の災害が発生した時の緊急放送を行う際、センター装置は告知放送信号を伝送線路を介して送信し、この告知放送信号を告知放送受信機が受信して、告知放送をスピーカにて音声出力する。
【０００３】
このような告知放送システムの一つとして、ユーザによって複数のグループが構成されていることを前提として、これら複数のグループの中の一部のグループを選定してグループ放送を行うことができる告知放送システムも普及している。この告知放送システムにおいては、センター装置において、グループアドレスを告知放送信号と共に送信する。そして、告知放送受信機において、センター装置から受信したグループアドレスが自己に予め記憶されているグループアドレスと一致するか否かを判定し、一致する場合にのみ、告知放送信号に基づいて告知放送を出力する（例えば、特許文献１参照）。
【先行技術文献】
【特許文献】
【０００４】
【特許文献１】特開２００６−３１１０２４号公報
【発明の概要】
【発明が解決しようとする課題】
【０００５】
近年、移動体通信端末の一つとして、移動体通信網を介した電話通信に加えてインターネット回線を介したインターネット通信を行うことができるものであって、様々なアプリケーションを利用することができる、多機能携帯電話機（以下、スマートフォン）が普及してきている。そこで、このようなスマートフォンに対して、センター装置から告知放送信号を送信することにより、スマートフォンを介してユーザに告知放送を出力することも考えられる。このようにスマートフォンを利用した場合には、従来のように告知放送専用の告知放送受信機を用いることなく、既に普及しているスマートフォンを用いて告知放送を行うことができ、かつ、従来のように告知放送受信機が設置された屋内に限ることなく、スマートフォンで告知放送信号を受信可能な広範な領域において告知放送を行うことができるという利点がある。
【０００６】
このようにスマートフォンを介して告知放送を行う場合、センター装置からスマートフォンに告知放送信号を受け渡す方式としては、次の３つの方式が考えられる。第１の方式は、スマートフォンからセンター装置にアクセスして告知放送信号を取得する方式である。第２の方式は、いわゆるエリアメール方式（例えば、CBS（Cell Broadcast Service）方式や、ETWS（Earthquake and Tsunami Warning System方式）であり、センター装置から移動体通信基地局を介して、移動体通信基地局の通信範囲内に存在する全てのスマートフォンに対して告知放送信号を出力する方式である。第３の方式は、いわゆるプッシュ通信方式であり、センター装置からプッシュ通信用のサービスセンター装置を介して、プッシュ通信の受信を予め承認している全てのユーザのスマートフォンに対して告知放送信号を送信する方式である。
【０００７】
しかしながら、上記第１の方式は、スマートフォンが自発的にセンター装置にアクセスする必要があるため、センター装置に新規の告知放送が登録等されてから、スマートフォンがセンター装置にアクセスする迄には、一定の時間が必要になる。従って、特に緊急告知放送のように、即時出力が求められる告知放送を行うことには適していない。なお、このような問題は、アクセスの間隔を短くすることにより解消することも可能であるが、このようにアクセスの間隔を短くした場合には、ネットワーク負荷が増大したりスマートフォンのバッテリーの消費量が多くなったりするという新たな問題が生じるために、現実的ではない。
【０００８】
また、上記第２の方式は、移動体通信基地局の通信範囲内に存在する全てのスマートフォンに対して告知放送信号を出力する方式であるため、一部のスマートフォンのみに選択的に告知放送信号を出力することができず、グループ放送を行うことには適していない。
【０００９】
あるいは、上記第３の方式は、プッシュ通信の受信を予め承認している全てのユーザのスマートフォンに対して告知放送信号を出力する方式であるため、第２の方式と同様に、一部のスマートフォンのみに選択的に告知放送信号を出力することができず、グループ放送を行うことには適していない。
【００１０】
本発明は、上記に鑑みてなされたものであって、スマートフォンを利用して告知放送を行うシステムであって、緊急告知放送を即時に出力することが可能になり、かつ、グループ放送を行うことが可能になる、告知放送システムを提供することを目的とする。
【課題を解決するための手段】
【００１１】
上述した課題を解決し、目的を達成するために、請求項１に記載の告知放送システムは、センター装置と複数の移動体通信端末とを相互に通信可能に接続して構成された告知放送システムであって、前記センター装置は、ユーザが保持する前記移動体通信端末を一意に特定するための端末特定情報を、当該ユーザが属するグループ毎に格納するグループ情報格納手段と、前記移動体通信端末を介して放送したい告知放送を特定するための告知放送情報と、告知放送を送信すべきユーザが属するグループを特定するためのグループ特定情報とを取得し、当該取得したグループ特定情報によって特定されたグループに対応する端末特定情報を前記グループ情報格納手段から取得し、当該取得した告知放送情報によって特定された告知放送を、当該取得した端末特定情報によって特定される移動体通信端末に出力させるための告知放送信号を生成する信号生成手段と、前記取得した告知放送情報によって特定された告知放送が、前記取得した端末特定情報によって特定される移動体通信端末において出力可能となるように、前記信号生成手段にて生成された告知放送信号を、当該移動体通信端末に対して直接的又は間接的にプッシュ配信するセンター側通信手段とを備え、前記移動体通信端末は、前記センター側通信手段にて送信された告知放送信号を直接的又は間接的に受信する端末側通信手段と、前記端末側通信手段にて受信された告知放送信号に基づいて、当該移動体通信端末を保持するユーザに対して告知放送を出力する出力手段とを備える。
【００１２】
また、請求項２に記載の告知放送システムは、請求項１に記載の告知放送システムにおいて、前記グループ情報格納手段は、端末特定情報を、一般告知放送を送信すべきユーザのグループである一般用グループ毎と、緊急告知放送を送信すべきユーザのグループである緊急用グループ毎に格納し、前記センター装置は、前記端末特定情報と、前記ユーザの属性を特定するための属性情報とを、相互に関連付けて格納するユーザ情報格納手段と、グループを推奨すべきユーザの属性情報を取得し、当該取得した属性情報によって特定されたユーザの属性に基づいて、ユーザが所属することが推奨される一般用グループである一般用推奨グループを第１推奨基準に基づいて特定すると共に、ユーザが所属することが推奨される緊急用グループである緊急用推奨グループを前記第１推奨基準とは異なる第２推奨基準に基づいて特定する推奨グループ特定手段とを備え、前記センター側通信手段は、前記推奨グループ特定手段にて特定された前記一般用推奨グループと前記緊急用推奨グループとを、前記移動体通信端末に対して直接的又は間接的に送信する。
【００１３】
また、請求項３に記載の告知放送システムは、請求項２に記載の告知放送システムにおいて、前記信号生成手段は、前記移動体通信端末を介して放送したい告知放送が一般告知放送と緊急告知放送のいずれであるのかを特定するための放送種別情報を含む告知放送信号を生成し、前記移動体通信端末は、前記端末側通信手段にて受信された告知放送信号に含まれる放送種別情報に基づいて、当該移動体通信端末を保持するユーザに対して放送する告知放送が一般告知放送と緊急告知放送のいずれであるのかを判定し、一般告知放送であると判定した場合には、当該一般告知放送を出力するタイミングを所定のタイミング決定基準に基づいて決定し、緊急告知放送であると判定した場合には、当該緊急告知放送を出力するタイミングを即時のタイミングとして決定する出力タイミング決定手段を備え、前記出力手段は、前記出力タイミング決定手段にて決定されたタイミングにより、ユーザに対して告知放送を出力する。
【００１４】
また、請求項４に記載の告知放送システムは、請求項２に記載の告知放送システムにおいて、前記センター装置は、一般告知放送の放送日時を特定するための放送日時情報と、一般告知放送を特定するための前記告知放送情報とを、相互に関連付けて格納するセンター側放送情報格納手段を備え、前記移動体通信端末は、前記放送日時情報と、前記告知放送情報とを、相互に関連付けて格納する端末側放送情報格納手段を備え、前記端末側通信手段は、前記センター側放送情報格納手段にて格納された前記放送日時情報と前記告知放送情報とを所定タイミングで取得して前記端末側放送情報格納手段に格納し、前記出力手段は、前記端末側放送情報格納手段に格納された前記放送日時情報に基づいて、一般告知放送の放送日時が到来したか否かを判定する出力タイミング決定手段を備え、前記出力手段は、前記出力タイミング決定手段にて一般告知放送の放送日時が到来したと判定された場合には、前記端末側放送情報格納手段に格納された前記告知放送情報に基づいて、ユーザに対して一般告知放送を出力する。
【００１５】
また、請求項５に記載の告知放送システムは、請求項２に記載の告知放送システムにおいて、前記センター装置は、一般告知放送を特定するための前記告知放送情報を格納するセンター側放送情報格納手段と、前記センター側放送情報格納手段に格納された前記告知放送情報の内容が更新されたか否かを判定し、更新された場合には、更新されたことを前記移動体通信端末に報知するための更新報知情報を生成する更新報知手段とを備え、前記センター側通信手段は、前記更新報知手段にて生成された更新報知情報を、前記移動体通信端末に対して直接的又は間接的にプッシュ配信し、前記端末側通信手段は、前記更新報知情報を受信した場合には、前記センター側放送情報格納手段にて格納された前記告知放送情報を取得し、前記出力手段は、前記端末側放送情報格納手段に格納された前記告知放送情報に基づいて、ユーザに対して一般告知放送を出力する。
【発明の効果】
【００１６】
請求項１に記載の告知放送システムによれば、センター装置から移動体通信端末に対して告知放送をプッシュ配信することができるので、緊急告知放送のように緊急性が比較的高い告知放送を移動体通信端末において即時に出力することが可能になり、告知放送の即時性を向上させることが可能になる。また、告知放送を送信すべきユーザが属するグループに対応する移動体通信端末に対して告知放送をプッシュ配信することができるので、プッシュ配信を行う場合であってもグループ放送を行うことが可能になり、告知放送の利便性を向上させることが可能になる。
【００１７】
請求項２に記載の告知放送システムによれば、ユーザが所属することが推奨される推奨グループが自動的に特定されて移動体通信端末に対して送信されるので、ユーザがこの推奨グループを参考にして自己のグループを選択等することが可能になり、ユーザにとってのグループ選択の利便性を向上させることが可能になる。また、一般用グループである一般用推奨グループを第１推奨基準に基づいて特定する共に、緊急用グループである緊急用推奨グループを第１推奨基準とは異なる第２推奨基準に基づいて特定するので、告知放送の種別に応じた推奨基準に基づいて推奨グループを特定することが可能になり、推奨グループの最適化を図ることが可能になる。
【００１８】
請求項３に記載の告知放送システムによれば、一般告知放送を出力するタイミングを所定のタイミング決定基準に基づいて決定し、緊急告知放送を出力するタイミングを即時のタイミングとして決定するので、一般告知放送については状況に応じたタイミングで出力を行うことができ、緊急告知放送については即時に出力することができるので、告知放送の種別に応じたタイミングで出力することが可能になり、告知放送の出力タイミングの最適化を図ることが可能になる。
【００１９】
請求項４に記載の告知放送システムによれば、放送日時情報と告知放送情報とを端末側放送情報格納手段に格納し、一般告知放送の放送日時が到来したと判定された場合には、端末側放送情報格納手段に格納された告知放送情報に基づいて、ユーザに対して一般告知放送を出力するので、例えば、緊急性が比較的低い一般告知放送に関しては、ネットワーク負荷が比較的少ない時間帯に告知放送情報を取得してその後の適切なタイミングで出力することが可能になり、ネットワーク負荷の分散を図ること等が可能になる。
【００２０】
請求項５に記載の告知放送システムによれば、告知放送情報の内容が更新された場合には更新報知情報が移動体通信端末に対してプッシュ配信され、端末側通信手段は更新報知情報を受信した場合に告知放送情報を取得するので、告知放送情報をプッシュ配信する場合に比べて、プッシュ配信の負荷を低減することが可能になる。
【図面の簡単な説明】
【００２１】
【図１】本発明の実施の形態１に係る告知放送システムを例示するブロック図である。
【図２】ユーザ情報の構成例を示す図である。
【図３】グループ情報の構成例を示す図である。
【図４】ユーザ登録処理のフローチャートである。
【図５】グループ登録処理のフローチャートである。
【図６】告知放送処理のフローチャートである。
【図７】実施の形態２に係る告知放送システムを例示するブロック図である。
【図８】センター側放送情報の構成例を示す図である。
【図９】端末側放送情報の構成例を示す図である。
【図１０】告知放送処理のフローチャートである。
【図１１】実施の形態３に係る告知放送システムを例示するブロック図である。
【図１２】告知放送処理のフローチャートである。
【発明を実施するための形態】
【００２２】
以下、本発明に係る告知放送システムの各実施の形態について図面を参照しつつ詳細に説明する。最初に、各実施の形態に共通の基本的概念について説明し、次に、各実施の形態の具体的内容について説明し、最後に、各実施の形態に対する変形例について説明する。ただし、これらの各実施の形態によって本発明が限定されるものではない。
【００２３】
〔各実施の形態に共通の基本的概念〕
まず、各実施の形態に共通の基本的概念について説明する。各実施の形態は、センター装置と複数の移動体通信端末とを相互に通信可能に接続して構成された告知放送システムに関するものである。ここで、「センター装置」とは、告知放送の配信元（以下、センター）に配置される装置である。「移動体通信端末」とは、移動しながら通信を行うことが可能な端末であり、例えば、携帯電話、ＰＤＡ（Personal Digital Assistant）、ラップトップ型コンピュータ、タブレット型コンピュータ、及びスマートフォンが該当する。以下では、移動体通信端末がスマートフォンである場合について説明する。なお、以下では、センター装置を１台のみ設けた場合について説明するが、センター装置を任意の複数台設けてもよい。
【００２４】
各実施の形態においては、センター装置からスマートフォンに対して情報を直接的又は間接的にプッシュ配信する。ここで、「プッシュ配信」とは、スマートフォンからセンター装置への情報の配信要求に関わらず、センター装置からスマートフォンに情報を配信することを意味する。このプッシュ配信の具体的な方法は任意であり、例えば、APNs（Apple Push Notification Service）やGCM（Google Cloud Messaging）のような公知のプッシュ配信方法を採用することができるので、その詳細な説明は省略する。以下では、プッシュ配信をAPNsにより行う場合について説明する。このAPNsにおいては、センター装置からスマートフォンに対して情報をプッシュ配信装置（APNsサーバ）を介して配信する。すなわち、センター装置からスマートフォンに対して情報を間接的に配信する。ただし、このプッシュ配信装置を公知技術の範囲内で変形した場合には、各実施の形態の構成や処理も、当該変形後の構成に応じて変形することができる。なお、例えば、センター装置にプッシュ配信装置の機能を統合することにより、センター装置からスマートフォンに対して情報を直接的にプッシュ配信してもよい。
【００２５】
各実施の形態においては、センター装置からスマートフォンに対して配信する告知放送として、一般告知放送又は緊急告知放送の２種類の告知放送を想定する。「一般告知放送」とは、比較的緊急性が低い放送であり、その具体的な内容は任意であるが、例えば、選挙情報、町内の催し物、ごみの収集日、あるいは予防接種の予定日を周知するための方法が該当する。「緊急告知放送」とは、比較的緊急性が高い放送であり、その具体的な内容は任意であるが、例えば、地震予知情報、津波や豪雨等に関する注意報や警報、あるいは避難命令を周知するための方法が該当する。
【００２６】
また、各実施の形態においては、告知放送を送信すべきユーザの単位として、グループを設定する。「グループ」とは、一人又は複数のユーザによって構成される単位であって、告知放送を送信すべきユーザによって構成される単位である。このグループとして、本実施の形態においては、一般告知放送を送信すべきユーザのグループである「一般用グループ」と、緊急告知放送を送信すべきユーザのグループである「緊急用グループ」が設定される。ただし、必ずしもグループを設定する必要はなく、個々のユーザを対象として告知放送を行ってもよい。
【００２７】
〔実施の形態１〕
次に、各実施の形態の具体的内容について説明する。最初に、実施の形態１に係る告知放送システムについて説明する。この実施の形態１は、一般告知放送と緊急告知放送の両方をセンター装置からスマートフォンにプッシュ配信する形態であり、告知放送の種別に応じてスマートフォンにおける出力タイミングを決定する形態であって、告知放送が一般告知放送である場合には、出力するタイミングを所定のタイミング決定基準に基づいて決定し、告知放送が緊急告知放送である場合には、即時に出力する形態である。
【００２８】
（構成）
最初に、実施の形態１に係る告知放送システムの構成について説明する。図１は、本実施の形態１に係る告知放送システムを例示するブロック図である。図１に示すように、告知放送システム１は、センター装置１０、プッシュ配信装置２０、及び複数のスマートフォン３０を、ネットワークを介して相互に通信可能に接続して構成されている。
【００２９】
（構成−センター装置）
最初に、センター装置１０の構成について説明する。センター装置１０は、入力部１１、出力部１２、通信部１３、記憶部１４、及び制御部１５を備えて構成されている。
【００３０】
（構成−センター装置−入力部）
入力部１１は、センター装置１０を利用するために必要な情報を受け付ける入力手段である。この入力部１１の具体的な構成は任意であるが、例えば、入力部１１は、テキスト情報の入力を受け付けるキーボードや、告知放送用の音声の入力を受け付けるマイクを備えて構成されている。
【００３１】
（構成−センター装置−出力部）
出力部１２は、センター装置１０を利用するために必要な情報を出力する出力手段である。この出力部１２の具体的な構成は任意であるが、例えば、出力部１２は、テキスト情報を出力するディスプレイや、音声情報を出力するスピーカを備えて構成されている。
【００３２】
（構成−センター装置−通信部）
通信部１３は、センター装置１０を利用するために必要な情報の送信及び受信を行うセンター側通信手段である。この通信部１３は、告知放送情報によって特定された告知放送が、後述する端末ＩＤによって特定されるスマートフォン３０において出力可能となるように、後述する信号生成部１５ａにて生成された告知放送信号を、スマートフォン３０に対して直接的又は間接的にプッシュ配信する。この通信部１３の具体的な構成は任意であるが、例えば、ネットワークインターフェースとして構成されている。
【００３３】
（構成−センター装置−記憶部）
記憶部１４は、センター装置１０の動作に必要なプログラム及び各種のデータを記憶する記憶手段であり、例えば、外部記憶装置としてのハードディスクの如き磁気的記憶媒体を用いて構成されている。ただし、ハードディスクに代えてあるいはハードディスクと共に、フラッシュメモリの如き半導体型記憶媒体、又はＤＶＤやブルーレイディスクの如き光学的記憶媒体を含む、その他の任意の記憶媒体を用いることができる。
【００３４】
この記憶部１４は、ユーザデータベース（以下、データベースをＤＢと略記する）１４ａ、及びグループＤＢ１４ｂを備えている。
【００３５】
ユーザＤＢ１４ａは、ユーザ情報を格納するユーザ情報格納手段である。図２は、ユーザ情報の構成例を示す図である。この図２に示すように、ユーザ情報は、項目「デバイストークン」に対応する情報と、項目「属性情報」に対応する情報とを、相互に関連付けて構成されている。項目「デバイストークン」に対応する情報とは、スマートフォン３０の利用者（以下、ユーザ）が保持するスマートフォン３０を一意に特定するための端末特定情報であって、スマートフォン３０に予め設定された端末ＩＤとは異なる情報である。このデバイストークンは、プッシュ配信装置２０によって任意の方法により決定される。項目「属性情報」に対応する情報とは、ユーザの属性を特定するための属性情報である。この属性情報の具体的な種類は任意であるが、一般告知放送を行うべきユーザや、緊急告知放送を行うべきユーザを選定する際の基準になる種類を含めることが好ましく、本実施の形態では、現住所及び出身地を含めるものとする。このように構成されたユーザ情報は、後述するユーザ登録処理によって登録される。
【００３６】
グループＤＢ１４ｂは、グループ情報を格納するグループ情報格納手段である。図３は、グループ情報の構成例を示す図である。この図３に示すように、グループ情報は、項目「グループＩＤ」に対応する情報と、項目「グループ種別」に対応する情報と、項目「グループ内容」に対応する情報と、項目「デバイストークン」に対応する情報とを、相互に関連付けて構成されている。項目「グループＩＤ」に対応する情報は、各グループを一意に識別するためのグループ識別情報である。項目「グループ種別」に対応する情報は、グループの種別を特定するための情報であり、ここでは、一般用グループ又は緊急用グループのいずれかである。項目「グループ内容」に対応する情報は、グループの内容を特定するための情報であり、ここでは、市区町村単位でグループが決定されるものとし、当該情報としては、市区町村の名称が格納される。項目「デバイストークン」に対応する情報は、図２の同一項目に対応する情報と同じである。このようにグループ情報は、デバイストークンを、当該ユーザが属するグループ毎に区分して構成されている。グループとしては、上述したように、一般用グループと緊急用グループが設定されている。このため、グループ情報は、端末特定情報を、一般用グループ毎と緊急用グループ毎に区分して構成されている。このように構成されたグループ情報は、後述するグループ登録処理によって登録される。
【００３７】
（構成−センター装置−制御部）
制御部１５は、センター装置１０を制御する制御手段であり、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを格納するためのＲＡＭの如き内部メモリを備えて構成されるコンピュータである。特に、本実施の形態１に係るセンター側告知放送プログラムは、任意の記憶媒体又はネットワークを介してセンター装置１０にインストールされることで、制御部１５の各部を実質的に構成する。
【００３８】
この制御部１５は、機能概念的に、信号生成部１５ａ及び推奨グループ特定部１５ｂを備えて構成されている。信号生成部１５ａは、スマートフォン３０を介して放送したい告知放送を特定するための告知放送情報と、告知放送を送信すべきユーザが属するグループを特定するための一般用グループＩＤ又は緊急用グループＩＤとを取得し、当該取得した一般用グループＩＤ又は緊急用グループＩＤによって特定されたグループに対応するデバイストークンをグループＤＢ１４ｂから取得し、当該取得した告知放送情報によって特定された告知放送を、当該取得したデバイストークンによって特定されるスマートフォン３０に出力させるための告知放送信号を生成する信号生成手段である。推奨グループ特定部１５ｂは、グループを推奨すべきユーザの属性情報を取得し、当該取得した属性情報によって特定されたユーザの属性に基づいて、ユーザが所属することが推奨される一般用グループである一般用推奨グループを第１推奨基準に基づいて特定すると共に、ユーザが所属することが推奨される緊急用グループである緊急用推奨グループを第１推奨基準とは異なる第２推奨基準に基づいて特定する推奨グループ特定手段である。これらの制御部１５の各部によって実行される処理の詳細については後述する。
【００３９】
（構成−プッシュ配信装置）
次に、プッシュ配信装置２０の構成について説明する。プッシュ配信装置２０は、センター装置１０からスマートフォン３０への告知放送情報のプッシュ配信を中継するプッシュ配信中継手段である。
【００４０】
（構成−スマートフォン）
次に、スマートフォン３０の構成について説明する。スマートフォン３０は、入力部３１、出力部３２、通信部３３、記憶部３４、及び制御部３５を備えている。
【００４１】
（構成−スマートフォン−入力部）
入力部３１は、スマートフォン３０を利用するために必要な情報を受け付ける入力手段である。この入力部３１の具体的な構成は任意であるが、例えば、入力部３１は、音声の入力を受け付けるマイクや、タッチパネルを備えて構成されている。タッチパネルは、ユーザの指等で押圧されることにより、ディスプレイに表示されている画像を移動させるための操作入力等を含む各種操作を受け付ける入力手段である。このタッチパネルは、透明又は半透明状に形成され、ディスプレイの前面において当該ディスプレイの表示面と重畳するように設けられている。このタッチパネルとしては、例えば抵抗膜方式や静電容量方式等による操作位置検出手段を備えた公知のタッチパネルを使用することができる。
【００４２】
（構成−スマートフォン−出力部）
出力部３２は、スマートフォン３０を利用するために必要な情報を出力する出力手段である。この出力部３２は、通信部部３３にて受信された告知放送信号に基づいて、スマートフォン３０を保持するユーザに対して告知放送を出力する。この出力部３２の具体的な構成は任意であるが、例えば、出力部３２は、テキスト情報を出力するディスプレイや、音声情報を出力するスピーカを備えて構成されている。
【００４３】
（構成−スマートフォン−通信部）
通信部３３は、スマートフォン３０を利用するために必要な情報の送信及び受信を行う端末側通信手段である。この通信部３３は、センター装置１０の通信部１３にて送信された告知放送信号を直接的又は間接的に受信する。この通信部３３の具体的な構成は任意であるが、例えば、ネットワークインターフェースとして構成されている。
【００４４】
（構成−スマートフォン−記憶部）
記憶部３４は、スマートフォン３０の動作に必要なプログラム及び各種のデータを記憶する記憶手段であり、例えば、外部記憶装置としてのハードディスクの如き磁気的記憶媒体を用いて構成されている。ただし、ハードディスクに代えてあるいはハードディスクと共に、フラッシュメモリの如き半導体型記憶媒体、又はＤＶＤやブルーレイディスクの如き光学的記憶媒体を含む、その他の任意の記憶媒体を用いることができる。この記憶部３４には、プッシュ配信装置２０によって生成されたデバイストークンが記憶される。
【００４５】
（構成−スマートフォン−制御部）
制御部３５は、スマートフォン３０を制御する制御手段であり、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを格納するためのＲＡＭの如き内部メモリを備えて構成されるコンピュータである。特に、本実施の形態１に係る端末側告知放送プログラムは、任意の記憶媒体又はネットワークを介してスマートフォン３０にインストールされることで、制御部３５の各部を実質的に構成する。
【００４６】
この制御部３５は、機能概念的に、出力タイミング決定部３５ａを備えている。この出力タイミング決定部３５ａは、通信部３３にて受信された告知放送信号に含まれる放送種別情報に基づいて、スマートフォン３０を保持するユーザに対して放送する告知放送が一般告知放送と緊急告知放送のいずれであるのかを判定し、一般告知放送であると判定した場合には、当該一般告知放送を出力するタイミングをタイミング決定基準に基づいて決定し、緊急告知放送であると判定した場合には、当該緊急告知放送を出力するタイミングを即時のタイミングとして決定する出力タイミング決定手段である。制御部３５の各部によって実行される処理の詳細については後述する。
【００４７】
（処理）
次に、このように構成された告知放送システム１によって実行される処理について説明する。この処理は、ユーザ登録処理、グループ登録処理、告知放送処理に大別される。なお、以下の各処理の説明ではステップを「Ｓ」と略記するものとし、特記しない場合には、センター装置１０の制御部１５、プッシュ配信装置２０の制御部（図示省略）、あるいはスマートフォン３０の制御部３５によって、処理が実行されるものとする。
【００４８】
（処理−ユーザ登録処理）
最初に、ユーザ登録処理について説明する。この処理は、告知放送を行う対象になるユーザを登録するための処理である。図４は、ユーザ登録処理のフローチャートである。端末側告知放送プログラムがスマートフォン３０にインストールされると、スマートフォン３０の制御部３５は、プッシュ配信を許可するか否かを当該スマートフォン３０のユーザに問い合わせるためのメッセージを、当該スマートフォン３０の出力部３２を介して出力する（ＳＡ１）。このメッセージを見たユーザは、プッシュ配信を許可する場合には、許可する旨を入力部３１を介して入力する。この入力が行われた場合、制御部３５は、端末ＩＤを含んだユーザ登録要求信号を通信部３３を介してプッシュ配信装置２０に送信する（ＳＡ２）。ここで、「端末ＩＤ」とは、スマートフォン３０を一意に識別するための端末特定情報であって、デバイストークンとは異なる情報であり、例えば、スマートフォン３０の製造時に当該スマートフォン３０に予め設定されている機器ＩＤや、スマートフォン３０に挿入されているＳＩＭカードに設定されている電話番号である。
【００４９】
このユーザ登録要求信号を受信したプッシュ配信装置２０は、デバイストークンを所定方法で生成し（ＳＡ３）、当該生成したデバイストークンとユーザ登録要求信号に含まれる端末ＩＤとを相互に関連付けて自己の記憶部（図示せず）に登録すると共に（ＳＡ４）、当該生成したデバイストークンを、ユーザ登録要求信号の送信元であるスマートフォン３０に送信する（ＳＡ５）。このデバイストークンを受信したスマートフォン３０の制御部３５は、このデバイストークンを、自己の記憶部３４に記憶させる。
【００５０】
次いで、スマートフォン３０の制御部３５は、センター装置１０に登録する属性情報の入力を行うための入力画面を出力部３２に表示させることにより（ＳＡ６）、属性情報の入力を当該スマートフォン３０のユーザに促す。この入力画面を見たユーザは、センター装置１０に登録する属性情報を入力部３１を介して入力する。この入力が行われた場合、制御部３５は、当該入力された属性情報を、プッシュ配信装置２０から受信したデバイストークンと共に、センター装置１０に通信部３３を介して送信する（ＳＡ７）。そして、センター装置１０の制御部１５は、これら属性情報とデバイストークンを相互に関連付けてユーザＤＢ１４ａに記憶する（ＳＡ８）。これにてユーザ登録処理が終了する。
【００５１】
（処理−グループ登録処理）
次に、グループ登録処理について説明する。この処理は、告知放送を行う対象になるユーザが所属するグループを登録するための処理である。図５は、グループ登録処理のフローチャートである。センター装置１０の推奨グループ特定部１５ｂは、ユーザ登録処理の終了後、グループを推奨すべきユーザ（ここでは、ユーザ登録処理でセンター装置１０に登録されたユーザ）の属性情報をユーザＤＢ１４ａから取得し、当該取得した属性情報によって特定されたユーザの属性に基づいて、ユーザが所属することが推奨される一般用グループである一般用推奨グループを第１推奨基準に基づいて特定すると共に（ＳＢ１）、ユーザが所属することが推奨される緊急用グループである緊急用推奨グループを第１推奨基準とは異なる第２推奨基準に基づいて特定する（ＳＢ２）。
【００５２】
ここで、第１推奨基準の具体的な特性方法は任意であるが、例えば、一般告知放送は、緊急告知放送に比べて放送頻度が高いため、過大な範囲のユーザに対して放送出力を行った場合には、ユーザに煩わしさを与える可能性が高い。また、一般告知放送は、緊急告知放送に比べて緊急性が低いため、仮に本来であれば放送を行うべきユーザに対して実際には放送が行われなかった事態が生じても、ユーザに大きな不利益を与える可能性が低いと考えられる。これらのことから、第１推奨基準は、第２推奨基準に比べて、ユーザが少なくなる範囲に限定されるような基準として決定される。例えば、第１推奨基準は、属性情報に含まれる現住所に対応する市区町村のユーザのみに一般告知放送を行うための一般用グループを、一般用推奨グループとして特定するように決定される。そして、推奨グループ特定部１５ｂは、この第１推奨基準に基づいて、一般用推奨グループを特定する。例えば、推奨グループ特定部１５ｂは、属性情報に含まれる現住所から市区町村を公知の方法で特定し、当該特定した市区町村に対応する一般用グループを一般用推奨グループとして特定する。
【００５３】
また、第２推奨基準の具体的な特性方法は任意であるが、例えば、緊急告知放送は、一般告知放送に比べて放送頻度が低いため、過大な範囲のユーザに対して放送出力を行った場合であっても、ユーザに煩わしさを与える可能性が低い。また、緊急告知放送は、一般告知放送に比べて緊急性が高いため、仮に本来であれば放送を行うべきユーザに対して実際には放送が行われなかった事態が生じた場合には、ユーザに大きな不利益を与える可能性が高いと考えられる。これらのことから、第２推奨基準としては、第１推奨基準に比べて、ユーザが多くなる範囲に限定されるように決定される。例えば、第２推奨基準は、属性情報に含まれる現住所に対応する市区町村及び出身地に対応する市区町村のユーザのみに緊急告知放送を行うための緊急用グループを、緊急用推奨グループとして特定するように決定される。そして、推奨グループ特定部１５ｂは、この第２推奨基準に基づいて、緊急用推奨グループを特定する。例えば、推奨グループ特定部１５ｂは、属性情報に含まれる現住所から市区町村を公知の方法で特定し、当該特定した市区町村に対応する緊急用グループを緊急用推奨グループとして特定する。また、推奨グループ特定部１５ｂは、属性情報に含まれる出身地から市区町村を公知の方法で特定し、当該特定した市区町村に対応する緊急用グループを緊急用推奨グループとして特定する。
【００５４】
その後、センター装置１０の制御部１５は、推奨グループ特定部１５ｂにより特定された一般用推奨グループ及び緊急用推奨グループを含む配信情報（少なくとも、一般用推奨グループ及び緊急用推奨グループのグループ種別とグループ内容を含む情報）を、スマートフォン３０にプッシュ配信する（ＳＢ３）。このプッシュ配信においては、最初に、配信先となるスマートフォン３０のデバイストークン、配信情報、及びルート証明書を、センター装置１０からプッシュ配信装置２０に送信する。ここで、「ルート証明書」とは、センター装置１０の正当性を証明するための情報であって、センター装置１０とプッシュ配信装置２０との相互間で予め共有されている情報である。これらの情報を受信したプッシュ配信装置２０の制御部は、受信したルート証明書に基づいてセンター装置１０の正当性を判定し、正当であると判定された場合には、受信したデバイストークンと関連付けて自己の記憶部に登録されている端末ＩＤを取得し、当該端末ＩＤに基づいて、配信先となるスマートフォン３０を特定する。そして、当該特定したスマートフォン３０に対して、受信した配信情報とデバイストークンとを送信する（ＳＢ４）。これらの情報を受信したスマートフォン３０の制御部３５は、受信したデバイストークンが、自己の記憶部３４に記憶されているデバイストークンと合致するか否かを判定し、合致する場合には、正当なプッシュ配信であると判定して、受信した配信情報を行け入れる。このようにして、センター装置１０からプッシュ配信装置２０を介して間接的に情報をプッシュ配信することが可能になる。ここで、配信情報には、例えば、情報の出力形態を特定する制御コマンドが含まれており、制御部３５は、この制御コマンドに基づいて、配信情報を出力部３２を介してユーザに出力する（ＳＢ５）。この出力のタイミングは任意であるが、プッシュ配信であることの利点を生かすためには、配信情報を行け入れた時点で即時に出力を行う。また、この出力の具体的な形態は任意であるが、ユーザが即座に気が付き易い形態であることが好ましい。例えば、配信情報を受信した旨や、配信情報の内容の全部又は一部（例えば、一般用推奨グループ及び緊急用推奨グループを含む配信情報の場合には、これら各グループに対応する市区町村の名称）を、画面にポップアップ表示したりバナー形式で表示したりすることができる。また、表示に加えて、あるいは、表示に代えて、音声出力を行ったり、アニメーション表示を行ったりしてもよい。このように説明したプッシュ配信の方法は、以下のプッシュ配信においても同様であるとする。
【００５５】
次いで、スマートフォン３０のユーザが、出力部３２を介して出力された一般用推奨グループ及び緊急用推奨グループの中から、自分が所属したい一般用推奨グループ及び緊急用推奨グループを入力部３１を介して選択すると、制御部３５は、当該選択された一般用推奨グループ及び緊急用推奨グループを、デバイストークンと共にセンター装置１０に送信する（ＳＢ６）。そして、センター装置１０の制御部１５は、これら送信された一般用推奨グループ毎及び緊急用推奨グループ毎に、デバイストークンをグループＤＢ１４ｂに記憶する（ＳＢ７）。つまり、グループＤＢ１４ｂに記憶されているグループ情報の中から、送信された一般用推奨グループや緊急用推奨グループに含まれるグループ種別及びグループ内容に合致するグループ情報を特定し、当該特定したグループ情報に、送信されたデバイストークンを追加する。この際、一般用推奨グループや緊急用推奨グループが未だグループＤＢ１４ｂに存在しない場合には、グループＩＤを所定方法で生成し、当該生成したグループＩＤと、送信された一般用推奨グループや緊急用推奨グループに含まれるグループ種別及びグループ内容と、送信されたデバイストークンとを、相互に関連付けることにより、レコードを新規に生成してグループＤＢ１４ｂに記憶する。これにてグループ登録処理が終了する。
【００５６】
（処理−告知放送処理）
次に、告知放送処理について説明する。この処理は、告知放送を行うための処理である。図６は、告知放送処理のフローチャートである。センター装置１０の管理者は、入力部１１を介した所定の方法により、告知放送情報、グループ特定情報、及び放送種別情報を入力する。「告知放送情報」とは、スマートフォン３０を介して放送したい告知放送を特定するための情報であり、例えば、テキストデータ、音声データ、画像データが該当する。「グループ特定情報」とは、告知放送を送信すべきユーザが属するグループを特定するための情報であり、例えば、告知放送が一般告知放送である場合には一般用グループ、告知放送が緊急告知放送である場合には緊急用グループが該当する。「放送種別情報」とは、スマートフォン３０を介して放送したい告知放送が一般告知放送と緊急告知放送のいずれであるのかを特定するための情報であり、例えば、「一般」又は「緊急」のいずれかである。なお、管理者は、さらに放送日時情報を含めてもよい。「放送日時情報」とは、告知放送が一般告知放送である場合に、当該一般告知放送をスマートフォン３０において出力するタイミングを特定するための情報であり、例えば、出力する年月日時を特定する情報である。
【００５７】
次いで、センター装置１０の信号生成部１５ａは、入力部１１を介して入力された告知放送情報、グループ特定情報、及び放送種別情報を取得し、当該取得したグループ特定情報によって特定されたグループに対応するデバイストークンをグループＤＢ１４ｂから取得する。そして、当該取得した告知放送情報によって特定された告知放送を、当該取得したデバイストークンによって特定されるスマートフォン３０に出力させるための告知放送信号を生成する（ＳＣ１）。この告知放送信号は、当該取得したデバイストークン、告知放送情報、放送種別情報、及びルート証明書を含む。そして、通信部１３は、取得した告知放送情報によって特定された告知放送が、取得したデバイストークンによって特定されるスマートフォン３０において出力可能となるように、信号生成部１５ａにて生成された告知放送信号を、プッシュ配信装置２０に送信し（ＳＣ２）、プッシュ配信装置２０は、この告知放送信号を、当該スマートフォン３０に対してプッシュ配信する（ＳＣ３）。
【００５８】
スマートフォン３０は、プッシュ配信装置２０からプッシュ配信された告知放送信号を通信部３３を介して受信する。そして、出力タイミング決定部３５ａは、当該受信した告知放送信号に含まれる放送種別情報に基づいて、スマートフォン３０を保持するユーザに対して放送する告知放送が一般告知放送と緊急告知放送のいずれであるのかを判定する（ＳＣ４）。
【００５９】
そして、出力タイミング決定部３５ａは、一般告知放送であると判定した場合には（ＳＣ４、Ｙｅｓ）、当該一般告知放送を出力するタイミングを所定のタイミング決定基準に基づいて決定する（ＳＣ５）。このタイミング決定基準の具体的内容は任意であるが、例えば、告知放送信号に放送日時情報が含まれている場合には、当該放送日時情報によって特定される年月日時を、一般告知放送を出力するタイミングとして決定する。この場合において、決定された年月日時が未だ到来していない場合、出力タイミング決定部３５ａは、告知放送信号に含まれる放送日時情報と告知放送情報とを相互に関連付けて記憶部３４に格納する。そして、出力タイミング決定部３５ａは、記憶部３４に格納した放送日時情報によって特定される年月日時の到来を所定間隔で監視し（ＳＣ６）、この年月日時が到来した時点で（ＳＣ６、Ｙｅｓ）、告知放送信号に含まれる告知放送情報に基づいて、一般告知放送を出力部３２を介してユーザに出力する（ＳＣ７）。このことにより、センター装置１０の管理者が意図した出力タイミングで、一般告知放送を出力することが可能になる。あるいは、告知放送情報を解析して、告知放送情報に年月日時が含まれる場合には、当該年月日時が到来した時点で、一般告知放送を出力部３２を介してユーザに出力するようにしてもよい。この場合には、例えば、特定の年月日で行われるイベントを案内するための一般告知放送を、当該特定の年月日が到来した時点で出力することができる。あるいは、一般告知放送についても、後述する緊急告知放送の出力タイミングと同様に、出力部３２を介してユーザに即時に出力してもよい。これにて告知放送処理が終了する。
【００６０】
一方、出力タイミング決定部３５ａは、緊急告知放送であると判定した場合（一般告知放送ではないと判定した場合）には（ＳＣ４、Ｎｏ）、当該緊急告知放送を出力するタイミングを即時のタイミングとして決定する。つまり、出力タイミング決定部３５ａは、告知放送信号に含まれる告知放送情報に基づいて、緊急告知放送を出力部３２を介してユーザに即時に出力する（ＳＣ７）。このことにより、緊急告知放送を即座にユーザに対して行うことが可能になる。これにて告知放送処理が終了する。
【００６１】
（実施の形態１の効果）
このように本実施の形態１によれば、センター装置１０からスマートフォン３０に対して告知放送をプッシュ配信することができるので、緊急告知放送のように緊急性が比較的高い告知放送をスマートフォン３０において即時に出力することが可能になり、告知放送の即時性を向上させることが可能になる。また、告知放送を送信すべきユーザが属するグループに対応するスマートフォン３０に対して告知放送をプッシュ配信することができるので、プッシュ配信を行う場合であってもグループ放送を行うことが可能になり、告知放送の利便性を向上させることが可能になる。
【００６２】
また、ユーザが所属することが推奨される推奨グループが自動的に特定されてスマートフォン３０に対して送信されるので、ユーザがこの推奨グループを参考にして自己のグループを選択等することが可能になり、ユーザにとってのグループ選択の利便性を向上させることが可能になる。また、一般用グループである一般用推奨グループを第１推奨基準に基づいて特定する共に、緊急用グループである緊急用推奨グループを第１推奨基準とは異なる第２推奨基準に基づいて特定するので、告知放送の種別に応じた推奨基準に基づいて推奨グループを特定することが可能になり、推奨グループの最適化を図ることが可能になる。
【００６３】
また、一般告知放送を出力するタイミングを所定のタイミング決定基準に基づいて決定し、緊急告知放送を出力するタイミングを即時のタイミングとして決定するので、一般告知放送については状況に応じたタイミングで出力を行うことができ、緊急告知放送については即時に出力することができるので、告知放送の種別に応じたタイミングで出力することが可能になり、告知放送の出力タイミングの最適化を図ることが可能になる。
【００６４】
〔実施の形態２〕
次に、実施の形態２について説明する。この実施の形態２は、緊急告知放送のみをセンター装置からスマートフォンにプッシュ配信し、一般告知放送についてはスマートフォンからセンター装置に取得しに行く形態である。なお、実施の形態２の構成は、特記する場合を除いて、実施の形態１の構成と略同一であり、実施の形態１の構成と略同一の構成についてはこの実施の形態１で用いたものと同一の符号及び／又は名称を必要に応じて付して、その説明を省略する。
【００６５】
（構成）
最初に、実施の形態２に係る告知放送システムの構成について説明する。図７は、本実施の形態２に係る告知放送システムを例示するブロック図である。図７に示すように、この告知放送システム２は、実施の形態２に係る告知放送システムとほぼ同様に構成されているが、センター装置１０の記憶部１４にセンター側放送ＤＢ１４ｃが格納されていると共に、スマートフォン３０の記憶部３４に端末側放送ＤＢ３４ａが格納されている点において異なる。
【００６６】
（構成−センター装置−センター側放送ＤＢ）
センター側放送ＤＢ１４ｃは、センター側放送情報を格納するセンター側放送情報格納手段である。図８は、センター側放送情報の構成例を示す図である。この図８に示すように、センター側放送情報は、項目「放送日時情報」に対応する情報と、項目「告知放送情報」に対応する情報と、項目「グループ特定情報」に対応する情報と、項目「放送種別情報」に対応する情報とを、相互に関連付けて構成されている。項目「放送日時情報」に対応する情報は、一般告知放送の放送日時を特定するための放送日時情報であり、本実施の形態においては、年月日時を連続して並べて構成されており、例えば、「201301011200」は放送日時が２０１３年１月１日１２時０分であることを示す。項目「告知放送情報」に対応する情報は、一般告知放送を特定するための告知放送情報であり、本実施の形態においては、告知放送のデータ（テキストデータや音声データ等）が記憶部１４に記憶された場合における、当該データの記憶部１４における記憶位置（リンクやアドレス等）である。項目「グループ特定情報」に対応する情報は、告知放送を出力したいユーザが属するグループを特定するための情報であり、例えば、一般用グループや緊急用グループの名称である。項目「放送種別情報」に対応する情報とは、スマートフォン３０を介して放送したい告知放送が一般告知放送と緊急告知放送のいずれであるのかを特定するための情報であり、例えば、「一般」又は「緊急」のいずれかである。このように構成されたセンター側放送情報は、後述する告知放送処理によって登録される。
【００６７】
（構成−スマートフォン３０端末側放送ＤＢ）
端末側放送ＤＢ３４ａは、端末側放送情報を格納する端末側放送情報格納手段である。図９は、端末側放送情報の構成例を示す図である。この図９に示すように、端末側放送情報は、項目「放送日時情報」に対応する情報と、項目「告知放送情報」に対応する情報とを、相互に関連付けて構成されている。これら各項目に対応する情報は、図８の同一項目に対応する情報と同じである。このように構成された端末側放送情報は、後述する告知放送処理によって登録される。
【００６８】
（処理）
次に、このように構成された告知放送システムによって実行される処理について説明する。ただし、ユーザ登録処理とグループ登録処理は実施の形態１と同様であるため、以下では、告知放送処理について説明する。図１０は、告知放送処理のフローチャートである。
【００６９】
センター装置１０の管理者は、入力部１１を介した所定の方法により、放送日時情報、告知放送情報、グループ特定情報、及び放送種別情報を入力する。次いで、センター装置１０の制御部１５は、入力部１１を介して入力された放送日時情報、告知放送情報、グループ特定情報、及び放送種別情報を、相互に関連付けてセンター側放送情報としてセンター側放送ＤＢ１４ｃに格納する（ＳＤ１）。次いで、センター装置１０の制御部１５は、このようにセンター側放送ＤＢ１４ｃが更新される毎に、当該更新された放送種別情報に基づいて、更新された告知放送が一般告知放送と緊急告知放送のいずれであるのかを判定する（ＳＤ２）。
【００７０】
そして、一般告知放送であると判定した場合には（ＳＤ２、Ｙｅｓ）、プッシュ配信を行うことなく、告知放送処理を終了する。ただし、一般告知放送であっても、告知放送の放送日時が現在日時から比較的短時間以内に到来する場合には、スマートフォン３０からセンター装置１０に対して行われる情報取得を待っていたのでは告知放送の放送日時に間に合わない可能性があるため、一般告知放送をプッシュ配置するようにしてもよい。例えば、センター装置１０の制御部１５は、放送日時情報に基づいて、告知放送の放送日時が現在日時から比較的短時間以内（例えば、スマートフォン３０からセンター装置１０に対して行われる情報取得の所定間隔以内であり、３０分以内）に到来するか否かを判定する。そして、告知放送の放送日時が到来する場合には、当該更新された放送日時情報、告知放送情報、及びグループ特定情報に基づいて、実施の形態１と同様に、一般告知放送をプッシュ配信し、告知放送処理を終了する。次いで、スマートフォン３０の制御部３５は、センター装置１０から一般告知放送のプッシュ配信を受けた場合には、実施の形態１と同様に、この一般告知放送を出力部３２を介して出力し、告知放送処理を終了する。なお、このように一般告知放送をプッシュ配置する際における、プッシュ配信装置２０とスマートフォン３０の処理は、図示の便宜上、図１０において省略する。
【００７１】
一方、緊急告知放送であると判定した場合（一般告知放送ではないと判定した場合）には（ＳＤ２、Ｎｏ）、スマートフォン３０からセンター装置１０に対して行われる情報取得を待っていたのでは緊急告知放送を即時に出力できない可能性が高いため、当該更新された放送日時情報、告知放送情報、及びグループ特定情報に基づいて、実施の形態１と同様に、緊急告知放送をプッシュ配信し（ＳＤ３）、告知放送処理を終了する。次いで、スマートフォン３０の制御部３５は、センター装置１０から緊急告知放送のプッシュ配信を受けた場合には、実施の形態１と同様に、この緊急告知放送を出力部３２を介して即時に出力し、告知放送処理を終了する。なお、このように緊急告知放送をプッシュ配置する際における、プッシュ配信装置２０とスマートフォン３０の処理は、図示の便宜上、図１０において省略する。
【００７２】
また、スマートフォン３０の制御部３５は、所定間隔（例えば、３０分）が到来する毎に、センター装置１０にアクセスし、直近のアクセス以降にセンター側放送ＤＢ１４ｃに更新された情報を取得する（ＳＤ４）。そして、当該情報に含まれるグループ特定情報が当該スマートフォン３０のユーザが属するグループに合致しており、かつ、当該情報に含まれる放送種別情報が一般告知放送を示している情報を抽出し、当該抽出した情報に含まれる放送日時情報及び告知放送情報を取得して、当該取得した放送日時情報及び告知放送情報を相互に関連付けて端末側放送ＤＢ３４ａに格納する（ＳＤ５）。
【００７３】
その後、出力タイミング決定部３５ａは、端末側放送ＤＢ３４ａに格納された放送日時情報に基づいて、告知放送の放送日時が到来したか否かを所定間隔で判定し（ＳＤ６）、告知放送の放送日時が到来した場合には（ＳＤ６、Ｙｅｓ）、当該放送日時情報に対応する告知放送情報に基づいて、一般告知放送を出力部３２を介してユーザに出力する（ＳＤ７）。これにて告知放送処理が終了する。
【００７４】
（実施の形態２の効果）
このように本実施の形態２によれば、放送日時情報と告知放送情報とを端末側放送ＤＢ３４ａに格納し、一般告知放送の放送日時が到来したと判定された場合には、端末側放送ＤＢ３４ａに格納された告知放送情報に基づいて、ユーザに対して一般告知放送を出力するので、例えば、緊急性が比較的低い一般告知放送に関しては、ネットワーク負荷が比較的少ない時間帯に告知放送情報を取得してその後の適切なタイミングで出力することが可能になり、ネットワーク負荷の分散を図ること等が可能になる。
【００７５】
〔実施の形態３〕
次に、実施の形態３について説明する。この実施の形態３は、センター装置において一般告知放送が更新された場合には、当該更新された旨をセンター装置からスマートフォンにプッシュ配信し、このプッシュ配信を受けたスマートフォンからセンター装置に一般告知放送を取得しに行く形態である。なお、実施の形態３の構成は、特記する場合を除いて、実施の形態２の構成と略同一であり、実施の形態２の構成と略同一の構成についてはこの実施の形態２で用いたものと同一の符号及び／又は名称を必要に応じて付して、その説明を省略する。
【００７６】
（構成）
最初に、実施の形態３に係る告知放送システムの構成について説明する。図１１は、本実施の形態３に係る告知放送システムを例示するブロック図である。図１１に示すように、この告知放送システムは、実施の形態２に係る告知放送システムとほぼ同様に構成されているが、センター装置１０の制御部１５には、更新報知部１５ｃが設けられている点において異なる。
【００７７】
（構成−センター装置−制御部）
更新報知部１５ｃは、センター側放送ＤＢ１４ｃに格納された告知放送情報の内容が更新されたか否かを判定し、更新された場合には、更新されたことをスマートフォン３０に報知するための更新報知信号を生成する更新報知手段である。
【００７８】
（処理）
次に、このように構成された告知放送システムによって実行される処理について説明する。ただし、ユーザ登録処理とグループ登録処理は実施の形態１と同様であるため、以下では、告知放送処理について説明する。図１２は、告知放送処理のフローチャートである。
【００７９】
センター装置１０の管理者は、入力部１１を介した所定の方法により、放送日時情報、告知放送情報、グループ特定情報、及び放送種別情報を入力する。次いで、センター装置１０の制御部１５は、入力部１１を介して入力された放送日時情報、告知放送情報、グループ特定情報、及び放送種別情報を、相互に関連付けてセンター側放送ＤＢ１４ｃに格納する（ＳＥ１）。次いで、センター装置１０の制御部１５は、このようにセンター側放送ＤＢ１４ｃが更新される毎に、当該更新された放送種別情報に基づいて、更新された告知放送が一般告知放送と緊急告知放送のいずれであるのかを判定する（ＳＥ２）。
【００８０】
そして、一般告知放送であると判定した場合（ＳＥ２、Ｙｅｓ）、センター装置１０の更新報知部１５ｃは、一般告知放送が更新された旨を示す更新情報（例えば、所定のメッセージ）をスマートフォン３０にプッシュ配信し（ＳＥ３）、告知放送処理を終了する。この際、更新報知部１５ｃは、当該更新されたグループ特定情報に基づいて一般告知放送を送信すべき一般用グループを特定し、当該特定した一般用グループに属するユーザのスマートフォン３０にプッシュ配信を行う。
【００８１】
一方、緊急告知放送であると判定した場合（一般告知放送ではないと判定した場合）には（ＳＥ２、Ｙｅｓ）、スマートフォン３０からセンター装置１０に対して行われる情報取得を待っていたのでは緊急告知放送を即時に出力できない可能性が高いため、当該更新された放送日時情報、告知放送情報、及びグループ特定情報に基づいて、実施の形態１と同様に、この緊急告知放送をスマートフォン３０にプッシュ配信し（ＳＥ４）、告知放送処理を終了する。この際、更新報知部１５ｃは、当該更新されたグループ特定情報に基づいて緊急告知放送を送信すべき緊急用グループを特定し、当該特定した緊急用グループに属するユーザのスマートフォン３０にプッシュ配信を行う。なお、このように緊急告知放送をプッシュ配置する際における、プッシュ配信装置２０とスマートフォン３０の処理は、図示の便宜上、図１２において省略する。
【００８２】
次いで、スマートフォン３０の制御部３５は、センター装置１０から更新情報のプッシュ配信を受けた場合には、センター装置１０にアクセスし、直近のアクセス以降にセンター側放送ＤＢ１４ｃに更新された情報を取得する。そして、当該情報に含まれる当該情報に含まれるグループ特定情報が当該スマートフォン３０のユーザが属するグループに合致しており、かつ、当該情報に含まれる放送種別情報が一般告知放送を示している情報を抽出し、当該抽出した情報に含まれる放送日時情報及び告知放送情報を取得して、当該取得した放送日時情報及び告知放送情報を相互に関連付けて端末側放送ＤＢ３４ａに格納する（ＳＥ５）。
【００８３】
その後、出力タイミング決定部３５ａは、端末側放送ＤＢ３４ａに格納された放送日時情報に基づいて、告知放送の放送日時が到来したか否かを所定間隔で判定し（ＳＥ６）、告知放送の放送日時が到来した場合には（ＳＥ６、Ｙｅｓ）、当該放送日時情報に対応する告知放送情報に基づいて、一般告知放送を出力部３２を介してユーザに出力する（ＳＥ７）。これにて告知放送処理が終了する。
【００８４】
また、スマートフォン３０の制御部３５は、センター装置１０から緊急告知放送のプッシュ配信を受けた場合には、ＳＣ〜ＳＣを行うことにより、実施の形態１と同様に、この緊急告知放送を出力部３２を介して出力し、告知放送処理を終了する。
【００８５】
（実施の形態３の効果）
このように本実施の形態３によれば、告知放送情報の内容が更新された場合には更新報知情報がスマートフォン３０に対してプッシュ配信され、通信部３３は更新報知情報を受信した場合に告知放送情報を取得するので、告知放送情報をプッシュ配信する場合に比べて、プッシュ配信の負荷を低減することが可能になる。
【００８６】
〔各実施の形態に対する変形例〕
以上、本発明に係る各実施の形態について説明したが、本発明の具体的な構成及び手段は、特許請求の範囲に記載した各発明の技術的思想の範囲内において、任意に改変及び改良することができる。以下、このような変形例について説明する。
【００８７】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏することがある。例えば、緊急告知放送の出力の即時性が従来と同程度であっても、緊急告知放送の出力を従来と異なる構成で行うことができる場合には、本願の課題は解決されている。
【００８８】
（実施の形態の相互の関係性）
各実施の形態に示した特徴は、相互に入れ替えたり、一方の特徴を他方に追加してもよい。例えば、実施の形態３〜５の告知放送情報の配信形態を、センター装置１０やスマートフォン３０で任意の切り替えることができるようにしてもよい。
【００８９】
（告知放送の種別について）
上記実施の形態においては、告知放送の種別として、一般告知放送と緊急告知放送の２種類を例示したが、その他にも、任意の種別の告知放送を行うことができる。また、一般告知放送に関しても、告知放送情報が入力された時に即時に行う随時放送と、所定時刻に行う定時放送とを行ってもよい。
【００９０】
（グループについて）
上記実施の形態においては、ユーザの現住所や出身地に基づいてグループを構成する場合を例示したが、その他の任意の基準に基づいてグループを構成することができ、例えば、特定の学校の特定のクラスに所属するユーザのグループを構成してもよい。また、グループ登録処理において、新規にグループが登録された際に、当該グループに登録するために必要になるパスワードを決定しておき、２番目以降のユーザが当該グループに登録を希望する際には、当該パスワードをスマートフォン３０を介して入力した場合にのみ、登録を認めるようにしてもよい。
【符号の説明】
【００９１】
１  告知放送システム
１０  センター装置
１１、３１  入力部
１２、３２  出力部
１３、３３  通信部
１４、３４  記憶部
１４ａ  ユーザＤＢ
１４ｂ  グループＤＢ
１４ｃ  センター側放送ＤＢ
１５、３５  制御部
１５ａ  信号生成部
１５ｂ  推奨グループ特定部
１５ｃ  更新報知部
２０  プッシュ配信装置
３０  スマートフォン
３４ａ  端末側放送ＤＢ
３５ａ  出力タイミング決定部
【図１】
2015023443.tif 000003
【図２】
2015023443.tif 000004
【図３】
2015023443.tif 000005
【図４】
2015023443.tif 000006
【図５】
2015023443.tif 000007
【図６】
2015023443.tif 000008
【図７】
2015023443.tif 000009
【図８】
2015023443.tif 000010
【図９】
2015023443.tif 000011
【図１０】
2015023443.tif 000012
【図１１】
2015023443.tif 000013
【図１２】
2015023443.tif 000014